(57)【要約】  精度の高い被検者の状態の判定が可能な状態監視装置を提供する。  状態監視装置は、被検者にマイクロ波を照射して、被検者から反射された反射波を検出する検出部と、検出部で検出した反射波を解析して呼吸信号のスペクトルデータを取得する解析部と、呼吸信号のスペクトルデータに基づいて被検者の睡眠時の状態を判定する判定部とを備える。
2020071374.tif 000002
【特許請求の範囲】
【請求項１】
被検者にマイクロ波を照射して、前記被検者から反射された反射波を検出する検出部と、
前記検出部で検出した反射波を解析して呼吸信号のスペクトルデータを取得する解析部と、
前記呼吸信号のスペクトルデータに基づいて前記被検者の睡眠時の状態を判定する判定部とを備える、状態監視装置。
【請求項２】
前記判定部は、前記呼吸信号のスペクトルデータの波形線幅が所定値よりも大きい場合に睡眠時の覚醒状態と判定し、前記呼吸信号のスペクトルデータの波形線幅が所定値以下の場合に睡眠時の安静状態と判定する、請求項１記載の状態監視装置。
【請求項３】
前記呼吸信号のスペクトルデータは、所定期間毎にピーク値を有し、
前記判定部は、所定期間毎のピーク値の最大値を所定値に規格化し、前記呼吸信号のスペクトルデータの波形線幅が所定値よりも大きい場合に睡眠時の覚醒状態と判定し、前記呼吸信号のスペクトルデータの波形線幅が所定値以下の場合に睡眠時の安静状態と判定する、請求項２記載の状態監視装置。
【請求項４】
前記判定部は、
前記呼吸信号のパワースペクトルデータを生成し、
前記パワースペクトラムデータが所定値以上であるか否かを判定し、
前記パワースペクトラムデータが所定値以上である場合には前記被検者の在室状態として判定し、
前記パワースペクトラムデータが所定値未満である場合には前記被検者の不在状態として判定する、請求項１記載の状態監視装置。
【請求項５】
前記呼吸信号のスペクトルデータは、ピーク値を示す周波数領域と、それ以外の周波数領域とに分割され、
前記判定部は、前記ピーク値を示す周波数領域のスペクトルデータのパワー積算値と、前記それ以外の周波数領域のスペクトルデータのパワー積算値との比または差分が所定値以上である場合には睡眠時の覚醒状態と判定し、前記比または差分が所定値未満である場合には、睡眠時の安静状態と判定する、請求項１記載の状態監視装置。
【請求項６】
被検者にマイクロ波を照射して、前記被検者から反射された反射波を検出するステップと、
検出した反射波を解析して呼吸信号のスペクトルデータを取得するステップと、
前記呼吸信号のスペクトルデータに基づいて前記被検者の睡眠時の状態を判定するステップとを備える、状態監視方法。
【請求項７】
前記被験者の睡眠時の状態を判定するステップは、前記呼吸信号のスペクトルデータの波形線幅が所定値よりも大きい場合に睡眠時の覚醒状態と判定し、前記呼吸信号のスペクトルデータの波形線幅が所定値以下の場合に睡眠時の安静状態と判定する、請求項６記載の状態監視方法。
【請求項８】
前記被験者の睡眠時の状態を判定するステップは、前記呼吸信号のスペクトルデータは、所定期間毎にピーク値を有し、
所定期間毎のピーク値の最大値を所定値に規格化し、前記呼吸信号のスペクトルデータの波形線幅が所定値よりも大きい場合に睡眠時の覚醒状態と判定し、前記呼吸信号のスペクトルデータの波形線幅が所定値以下の場合に睡眠時の安静状態と判定する、請求項７記載の状態監視方法。
【請求項９】
前記呼吸信号のスペクトルデータは、ピーク値を示す周波数領域と、それ以外の周波数領域とに分割され、
前記被験者の睡眠時の状態を判定するステップは、前記ピーク値を示す周波数領域のスペクトルデータのパワー積算値と、前記それ以外の周波数領域のスペクトルデータのパワー積算値との比または差分が所定値以上である場合には睡眠時の覚醒状態と判定し、前記比または差分が所定値未満である場合には、睡眠時の安静状態と判定する、請求項７記載の状態監視方法。
【発明の詳細な説明】
【技術分野】
【０００１】
本開示は、居住者の安否を監視する状態監視装置に関する。
【背景技術】
【０００２】
居住者を見守る技術が知られている。例えば、特開２０１７−１７４０１２号公報（特許文献１）には、ＩＴ（Information  Technology）を利用して高齢者等の状態を監視する見守りシステムが提案されている。被検者にトラブル等が生じた場合に、速やかに介護士、看護師等が介助等を行うことが可能になる。被検者の状態を画面にリアルタイムで表示し、通常とは異なる事象、すなわちイベントが発生している被検者の状態を表示する情報処理装置が開示されている。【０００３】
また、特許第５６８２５０４号公報（特許文献２）においては、被検者の生体情報を収集して被検者の安否を監視する監視装置において、被検者にマイクロ波を照射し、そのドップラシフトした反射波から、被検者の体動と呼吸とを検出し、所定時間内の体動数と呼吸数とから被検者の安否を監視する方式が開示されている。
【先行技術文献】
【特許文献】
【０００４】
【特許文献１】特開２０１７−１７４０１２号公報
【特許文献２】特許第５６８２５０４号公報
【発明の概要】
【発明が解決しようとする課題】
【０００５】
一方で、上記被検者の安否を監視する方式において、被検者の生体情報の信号レベルが低い場合には精度の高い被検者の状態の判定ができないという課題があった。【０００６】
本開示は上述のような背景に鑑みてなされたものであって、ある局面における目的は、精度の高い被検者の状態の判定が可能な状態監視装置および状態監視方法を提供することである。
【課題を解決するための手段】
【０００７】
ある実施の形態に従うと、状態監視装置は、被検者にマイクロ波を照射して、被検者から反射された反射波を検出する検出部と、検出部で検出した反射波を解析して呼吸信号のスペクトルデータを取得する解析部と、呼吸信号のスペクトルデータに基づいて被検者の睡眠時の状態を判定する判定部とを備える。【０００８】
好ましくは、判定部は、呼吸信号のスペクトルデータの波形線幅が所定値よりも大きい場合に睡眠時の覚醒状態と判定し、呼吸信号のスペクトルデータの波形線幅が所定値以下の場合に睡眠時の安静状態と判定する。【０００９】
好ましくは、呼吸信号のスペクトルデータは、所定期間毎にピーク値を有する。判定部は、所定期間毎のピーク値の最大値を所定値に規格化し、呼吸信号のスペクトルデータの波形線幅が所定値よりも大きい場合に睡眠時の覚醒状態と判定し、呼吸信号のスペクトルデータの波形線幅が所定値以下の場合に睡眠時の安静状態と判定する。【００１０】
好ましくは、判定部は、呼吸信号のパワースペクトルデータを生成し、パワースペクトラムデータが所定値以上であるか否かを判定し、パワースペクトラムデータが所定値以上である場合には被検者の在室状態として判定し、パワースペクトラムデータが所定値未満である場合には被検者の不在状態として判定する。【００１１】
好ましくは、呼吸信号のスペクトルデータは、ピーク値を示す周波数領域と、それ以外の周波数領域とに分割され、判定部は、ピーク値を示す周波数領域のスペクトルデータのパワー積算値と、それ以外の周波数領域のスペクトルデータのパワー積算値との比または差分が所定値以上である場合には睡眠時の覚醒状態と判定し、比または差分が所定値未満である場合には、睡眠時の安静状態と判定する。【００１２】
ある実施の形態に従うと、状態監視方法は、被検者にマイクロ波を照射して、被検者から反射された反射波を検出するステップと、検出した反射波を解析して呼吸信号のスペクトルデータを取得するステップと、呼吸信号のスペクトルデータに基づいて被検者の睡眠時の状態を判定するステップとを備える。【００１３】
好ましくは、被験者の睡眠時の状態を判定するステップは、呼吸信号のスペクトルデータの波形線幅が所定値よりも大きい場合に睡眠時の覚醒状態と判定し、呼吸信号のスペクトルデータの波形線幅が所定値以下の場合に睡眠時の安静状態と判定する。【００１４】
好ましくは、被験者の睡眠時の状態を判定するステップは、呼吸信号のスペクトルデータは、所定期間毎にピーク値を有する。所定期間毎のピーク値の最大値を所定値に規格化し、呼吸信号のスペクトルデータの波形線幅が所定値よりも大きい場合に睡眠時の覚醒状態と判定し、呼吸信号のスペクトルデータの波形線幅が所定値以下の場合に睡眠時の安静状態と判定する。【００１５】
好ましくは、呼吸信号のスペクトルデータは、ピーク値を示す周波数領域と、それ以外の周波数領域とに分割される。被験者の睡眠時の状態を判定するステップは、ピーク値を示す周波数領域のスペクトルデータのパワー積算値と、それ以外の周波数領域のスペクトルデータのパワー積算値との比または差分が所定値以上である場合には睡眠時の覚醒状態と判定し、比または差分が所定値未満である場合には、睡眠時の安静状態と判定する。
【発明の効果】
【００１６】
ある局面において、精度の高い被検者の状態の判定が可能である。
この発明の上記および他の目的、特徴、局面および利点は、添付の図面と関連して理解されるこの発明に関する次の詳細な説明から明らかとなるであろう。
【図面の簡単な説明】
【００１７】
【図１】見守りシステム１００の構成の一例を示す図である。
【図２】見守りシステム１００の構成の概要を示すブロック図である。
【図３】クラウドサーバー１５０として機能するコンピューターシステム３００のハードウェア構成を表わすブロック図である。
【図４】センサーボックス１１９を用いた見守りシステム１００の装置構成の概略の一例を示す図である。
【図５】実施形態に基づくセンサーボックス１１９で取得される被検者の睡眠時の安静状態におけるセンサデータについて説明する図である。
【図６】実施形態に基づくセンサーボックス１１９で取得される被検者の睡眠時の覚醒状態におけるセンサデータについて説明する図である。
【図７】実施形態に基づく睡眠時に安静状態である場合のセンサデータのスペクトルデータについて説明する図である。
【図８】実施形態に基づく睡眠時に覚醒状態である場合のセンサデータのスペクトルデータについて説明する図である。
【図９】実施形態に基づく睡眠時の安静状態を判定する方式を説明する図である。
【図１０】実施形態に基づく睡眠時の覚醒状態を判定する方式を説明する図である。
【図１１】実施形態に基づくパワースペクトラムデータについて説明する図である。
【図１２】実施形態の変形例に従うピーク値付近以外のパワー積算値の変動について説明する図である。
【図１３】睡眠時における安静状態および覚醒状態の判定を説明する図である。
【発明を実施するための形態】
【００１８】
以下、図面を参照しつつ、本開示に係る技術思想の実施の形態について説明する。以下の説明では、同一の部品には同一の符号を付してある。それらの名称および機能も同じである。したがって、それらについての詳細な説明は繰り返さない。
【００１９】
［技術思想］
まず、本明細書に開示にされる技術思想の概要について説明する。ある局面において、施設の入居者等の対象者の生体情報として呼吸信号が測定され、対象者の日頃の状態を正確に把握することができる。測定は、対象者が測定していることを意識していない状態で行なわれる。
【００２０】
［見守りシステム（状態監視装置）の構成］
図１は、見守りシステム１００の構成の一例を示す図である。見守り対象は、例えば、施設の居室領域１８０に設けられた各居室内の入居者である。図１の見守りシステム１００では、居室領域１８０に、居室１１０，１２０が設けられている。居室１１０は、入居者１１１に割り当てられている。居室１２０は、入居者１２１に割り当てられている。図１の例では、見守りシステム１００に含まれる居室の数は２であるが、当該数はこれに限定されない。
【００２１】
見守りシステム１００では、居室１１０，１２０にそれぞれ設置されたセンサーボックス１１９と、管理センター１３０に設置された管理サーバー２００と、アクセスポイント１４０とが、ネットワーク１９０を介して接続される。ネットワーク１９０は、イントラネットおよびインターネットのいずれをも含み得る。
【００２２】
見守りシステム１００では、介護者１４１が携帯する携帯端末１４３、および、介護者１４２が携帯する携帯端末１４４は、アクセスポイント１４０を介してネットワーク１９０に接続可能である。さらに、センサーボックス１１９、管理サーバー２００、および、アクセスポイント１４０は、ネットワーク１９０を介して、クラウドサーバー１５０と通信可能である。
【００２３】
居室１１０，１２０は、それぞれ、設備として、タンス１１２、ベッド１１３、および、トイレ１１４を含む。居室１１０のドアには、当該ドアの開閉を検出するドアセンサー１１８が設置されている。トイレ１１４のドアには、トイレ１１４の開閉を検出するトイレセンサー１１６が設置されている。ベッド１１３には、各入居者１１１，１２１の臭いを検出する臭いセンサー１１７が設置されている。居室１１０，１２０では、各入居者１１１，１２１は、それぞれ、ケアコール子機１１５を操作することができる。
【００２４】
センサーボックス１１９は、居室１１０，１２０内の物体の挙動を検出するためのセンサーを内蔵している。センサーの一例は、物体の動作を検出するためのドップラーセンサーである。他の例は、カメラである。センサーボックス１１９は、センサーとしてドップラーセンサーとカメラの双方を含んでもよい。
【００２５】
図２を参照して、見守りシステム１００の構成要素について説明する。図２は、見守りシステム１００の構成の概要を示すブロック図である。
【００２６】
［センサーボックス１１９］
センサーボックス１１９は、制御装置１０１と、ＲＯＭ（Read  Only  Memory）１０２と、ＲＡＭ（Random  Access  Memory）１０３と、通信インターフェイス１０４と、カメラ１０５と、ドップラーセンサー１０６と、無線通信装置１０７と、記憶装置１０８とを備える。
【００２７】
制御装置１０１は、センサーボックス１１９を制御する。制御装置１０１は、たとえば、少なくとも１つの集積回路によって構成される。集積回路は、たとえば、少なくとも１つのＣＰＵ（Central  Processing  Unit）、ＭＰＵ（Micro  Processing  Unit）その他のプロセッサー、少なくとも１つのＡＳＩＣ（Application  Specific  Integrated  Circuit）、少なくとも１つのＦＰＧＡ（Field  Programmable  Gate  Array）、またはこれらの組み合わせなどによって構成される。
【００２８】
通信インターフェイス１０４には、アンテナ（図示しない）などが接続される。センサーボックス１１９は、当該アンテナを介して、外部の通信機器との間でデータをやり取りする。外部の通信機器は、たとえば、管理サーバー２００、携帯端末１４３，１４４その他の端末、アクセスポイント１４０、クラウドサーバー１５０、その他の通信端末などを含む。
【００２９】
カメラ１０５は、一実現例では、近赤外カメラである。近赤外カメラは、近赤外光を投光するＩＲ（Infrared）投光器を含む。近赤外カメラが用いられることにより、夜間でも居室１１０，１２０の内部を表わす画像が撮影され得る。他の実現例では、カメラ１０５は、可視光のみを受光する監視カメラである。さらに他の実現例では、カメラ１０５として、３Ｄセンサやサーモグラフィーカメラが用いられてもよい。センサーボックス１１９およびカメラ１０５は、一体として構成されてもよいし、別体で構成されてもよい。
【００３０】
ドップラーセンサー１０６は、たとえばマイクロ波ドップラーセンサーであり、電波を放射及び受信して、居室１１０，１２０内の物体の挙動（動作）を検出する。これにより、居室１１０，１２０の入居者１１１，１２１の生体情報が検出され得る。一例では、ドップラーセンサー１０６は、２４ＧＨｚ帯のマイクロ波を各居室１１０，１２０のベッド１１３に向けて放射し、入居者１１１，１２１で反射した反射波を受信する。反射波は、入居者１１１，１２１の動作により、ドップラーシフトしている。ドップラーセンサー１０６は、当該反射波から、入居者１１１，１２１の呼吸状態や心拍数を検出し得る。
【００３１】
無線通信装置１０７は、ケアコール子機２４０、ドアセンサー１１８、トイレセンサー１１６、臭いセンサー１１７からの信号を受信し、当該信号を制御装置１０１へ送信する。たとえば、ケアコール子機２４０は、ケアコールボタン２４１を備える。当該ボタンが操作されると、ケアコール子機２４０は、当該操作があったことを示す信号を無線通信装置１０７へ送信する。ドアセンサー１１８、トイレセンサー１１６、臭いセンサー１１７は、それぞれの検出結果を無線通信装置１０７へ送信する。
【００３２】
記憶装置１０８は、たとえば、フラッシュメモリーまたはハードディスク等の固定記憶装置、あるいは、外付けの記憶装置などの記録媒体である。記憶装置１０８は、制御装置１０１によって実行されるプログラム、および、当該プログラムの実行に利用される各種のデータを格納する。各種のデータは、入居者１１１，１２１の行動情報を含んでいてもよい。
【００３３】
上記のプログラムおよびデータのうち少なくとも一方は、制御装置１０１がアクセス可能な記憶装置であれば、記憶装置１０８以外の記憶装置（たとえば、制御装置１０１の記憶領域（たとえば、キャッシュメモリーなど）、ＲＯＭ１０２、ＲＡＭ１０３、外部機器（たとえば、管理サーバー２００や携帯端末１４３，１４４等）に格納されていてもよい。
【００３４】
［携帯端末１４３，１４４］
携帯端末１４３，１４４は、制御装置２２１と、ＲＯＭ２２２と、ＲＡＭ２２３と、通信インターフェイス２２４と、ディスプレイ２２６と、記憶装置２２８と、入力デバイス２２９とを含む。ある局面において、携帯端末１４３，１４４は、例えば、スマートフォン、タブレット端末、腕時計型端末その他のウェアラブル装置等として実現される。
【００３５】
制御装置２２１は、携帯端末１４３，１４４を制御する。制御装置２２１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはそれらの組み合わせなどによって構成される。
【００３６】
通信インターフェイス２２４には、アンテナ（図示しない）などが接続される。携帯端末１４３，１４４は、当該アンテナおよびアクセスポイント１４０を介して、外部の通信機器との間でデータをやり取りする。外部の通信機器は、たとえば、センサーボックス１１９、管理サーバー２００などを含む。
【００３７】
ディスプレイ２２６は、たとえば液晶ディスプレイ、有機ＥＬ（Electro  luminescence）ディスプレイ等によって実現される。入力デバイス２２９は、たとえばディスプレイ２２６に設けられたタッチセンサーによって実現される。当該タッチセンサーは、携帯端末１４３，１４４に対するタッチ操作を受け付け、当該タッチ操作に応じた信号を制御装置２２１へ出力する。
【００３８】
記憶装置２２８は、たとえば、フラッシュメモリー、ハードディスクその他の固定記憶装置、あるいは、着脱可能なデータ記録媒体等により実現される。
【００３９】
［管理サーバー２００］
管理サーバー２００は、解析部２０２および判定部２０４を含む。
【００４０】
解析部２０２および判定部２０４は、ＣＰＵがメモリに格納されているプログラムを実行することにより実現する。解析部２０２は、クラウドサーバー１５０のハードディスク５に格納されているセンサデータを読み出して呼吸信号のスペクトルデータを取得する。
【００４１】
判定部２０４は、呼吸信号のスペクトラムデータに基づいて被検者の状態等を判定する。
【００４２】
［クラウドサーバーの構成］
図３を参照して、クラウドサーバー１５０の構成について説明する。図３は、クラウドサーバー１５０として機能するコンピューターシステム３００のハードウェア構成を表わすブロック図である。
【００４３】
コンピューターシステム３００は、主たる構成要素として、プログラムを実行するＣＰＵ１と、コンピューターシステム３００の使用者による指示の入力を受けるマウス２およびキーボード３と、ＣＰＵ１によるプログラムの実行により生成されたデータ、又はマウス２若しくはキーボード３を介して入力されたデータを揮発的に格納するＲＡＭ４と、データを不揮発的に格納するハードディスク５と、光ディスク駆動装置６と、通信インターフェイス（Ｉ／Ｆ）７と、モニター８とを含む。各構成要素は、相互にデータバスによって接続されている。光ディスク駆動装置６には、ＣＤ−ＲＯＭ９その他の光ディスクが装着される。
【００４４】
コンピューターシステム３００における処理は、各ハードウェアおよびＣＰＵ１により実行されるソフトウェアによって実現される。このようなソフトウェアは、ハードディスク５に予め記憶されている場合がある。また、ソフトウェアは、ＣＤ−ＲＯＭ９その他の記録媒体に格納されて、コンピュータープログラムとして流通している場合もある。あるいは、ソフトウェアは、いわゆるインターネットに接続されている情報提供事業者によってダウンロード可能なアプリケーションプログラムとして提供される場合もある。このようなソフトウェアは、光ディスク駆動装置６その他の読取装置によりその記録媒体から読み取られて、あるいは、通信インターフェイス７を介してダウンロードされた後、ハードディスク５に一旦格納される。そのソフトウェアは、ＣＰＵ１によってハードディスク５から読み出され、ＲＡＭ４に実行可能なプログラムの形式で格納される。ＣＰＵ１は、そのプログラムを実行する。
【００４５】
図３に示されるコンピューターシステム３００を構成する各構成要素は、一般的なものである。したがって、本開示に係る技術思想の本質的な部分の一つは、ＲＡＭ４、ハードディスク５、ＣＤ−ＲＯＭ９その他の記録媒体に格納されたソフトウェア、あるいはネットワークを介してダウンロード可能なソフトウェアであるともいえる。記録媒体は、一時的でない、コンピューター読取可能なデータ記録媒体を含み得る。なお、コンピューターシステム３００の各ハードウェアの動作は周知であるので、詳細な説明は繰り返さない。
【００４６】
なお、記録媒体としては、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリーカードを含む）、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリー等の固定的にプログラムを担持する媒体でもよい。
【００４７】
ここでいうプログラムとは、ＣＰＵにより直接実行可能なプログラムだけでなく、ソースプログラム形式のプログラム、圧縮処理されたプログラム、暗号化されたプログラム等を含む。
【００４８】
［見守りシステム１００の装置構成］
図４を参照して、見守りシステム１００を用いた見守りについて説明する。図４は、センサーボックス１１９を用いた見守りシステム１００の装置構成の概略の一例を示す図である。
【００４９】
見守りシステム１００は、見守り対象者（監視対象者）である入居者１１１，１２１その他の入居者を見守るために利用される。図４に示されるように、居室１１０の天井には、センサーボックス１１９が取り付けられている。他の居室にも同様にセンサーボックス１１９が取り付けられている。
【００５０】
範囲４１０は、センサーボックス１１９による検出範囲を表わす。センサーボックス１１９が前述のドップラーセンサーを有する場合、当該ドップラーセンサーは、範囲４１０内で生じた人の挙動を検出する。センサーボックス１１９がセンサーとしてカメラを有する場合、当該カメラは、範囲４１０内の画像を撮影する。
【００５１】
センサーボックス１１９は、たとえば、介護施設、医療施設、宅内などに設置される。図４の例では、センサーボックス１１９は、天井に取り付けられており、入居者１１１およびベッド１１３を天井から撮影している。センサーボックス１１９の取り付け場所は天井に限られず、居室１１０の側壁に取り付けられてもよい。
【００５２】
見守りシステム１００は、カメラ１０５から得られた一連の画像（すなわち、映像）に基づいて入居者１１１に生じている危険を検知する。一例として、検知可能な危険は、入居者１１１の転倒や、危険個所（たとえば、ベッドの柵など）に入居者１１１がいる状態などを含む。
【００５３】
見守りシステム１００は、入居者１１１に危険が生じていることを検知した場合に、そのことを介護者１４１，１４３等に報知する。報知方法の一例として、見守りシステム１００は、入居者１１１の危険を介護者１４１，１４２の携帯端末１４３，１４４に通知する。携帯端末１４３，１４４は、当該通知を受信すると、入居者１１１の危険をメッセージ、音声、振動等で介護者１４１，１４２に報知する。これにより、介護者１４１，１４２は、入居者１１１に危険が生じていることを即座に把握でき、入居者１１１の元に素早く駆け付けることができる。
【００５４】
なお、図４には、見守りシステム１００が１つのセンサーボックス１１９を備えている例が示されているが、見守りシステム１００は、複数のセンサーボックス１１９を備えてもよい。また、図４には、見守りシステム１００が複数の携帯端末１４３，１４４を備えている例が示されているが、見守りシステム１００は、一つの携帯端末でも実現され得る。
【００５５】
そして、本例におけるセンサーボックス１１９の通信インターフェイス１０４は、ドップラーセンサー１０６で取得したセンサデータをクラウドサーバー１５０に送信する。
【００５６】
クラウドサーバー１５０は、一例としてハードディスク５に格納する。
管理サーバー２００は、クラウドサーバー１５０のハードディスク５に格納されているセンサデータを読み出して所定の処理を実行する。本例においては、被検者の状態を判定する。
【００５７】
具体的には、被検者は睡眠時に覚醒状態あるいは安静状態か、また、被検者は在室しているか不在であるかを判定する。
【００５８】
管理サーバー２００は、必要に応じて被検者の状態を介護者に通知する。
［センサデータ］
図５は、実施形態に基づくセンサーボックス１１９で取得される被検者の睡眠時の安静状態におけるセンサデータについて説明する図である。
【００５９】
図５に示されるように、ドップラーセンサーによるマイクロ波の反射波が検出される。例えば、被検者がベッドで睡眠時に安静状態である場合には、呼吸動作以外の動きが少ない。したがって、呼吸動作の動きに合わせた反射波が一定の周期で振幅の小さい信号が検出される。
【００６０】
図６は、実施形態に基づくセンサーボックス１１９で取得される被検者の睡眠時の覚醒状態におけるセンサデータについて説明する図である。
【００６１】
例えば、被検者がベッドで睡眠時に覚醒状態である場合には、呼吸動作以外の動きが大きい。したがって、寝返り等、呼吸動作以外の動きに合わせた反射波が大きく、被検者の動作により信号の波形に大きな振幅が生じる。
【００６２】
図７は、実施形態に基づく睡眠時に安静状態である場合のセンサデータのスペクトルデータについて説明する図である。
【００６３】
図７において、管理サーバー２００の解析部２０２は、クラウドサーバー１５０のハードディスク５に格納されている上記図５のセンサデータを読み出して、当該呼吸信号のスペクトルデータを取得する。
【００６４】
横軸は呼吸数（回／分）であり、縦軸は、信号の強さを示す。
睡眠時に安静状態である場合には、呼吸動作に合わせてほぼ一定の周期が検出される。本例においては、１９回／分の位置でセンサデータのピーク値が検出された場合が示されている。
【００６５】
図８は、実施形態に基づく睡眠時に覚醒状態である場合のセンサデータのスペクトルデータについて説明する図である。
【００６６】
図８において、管理サーバー２００の解析部２０２は、クラウドサーバー１５０のハードディスク５に格納されている上記図６のセンサデータを読み出して、解析し、当該呼吸信号のスペクトルデータを取得する。
【００６７】
横軸は呼吸数（回／分）であり、縦軸は信号の強さを示す。
睡眠時に覚醒状態である場合には、呼吸動作以外に、他の動作に合わせて複数のピーク波形が検出される。最も高いピーク値に対応する呼吸数（回／分）は、１３回／分の波形が示されている。
【００６８】
図７および図８に示されるように、睡眠時の安静状態と覚醒状態とでは信号の強さが異なる。睡眠時の安静状態と覚醒状態とでは、睡眠時の安静状態の方が覚醒状態よりも信号の強さは大きい。これは、被験者とセンサーボックス１１９との距離や動きの向きによって最大値が異なるからである。したがって、睡眠時の安静状態と比べて覚醒状態の信号の強さが小さくなるため覚醒状態の判定が難しい可能性がある。
【００６９】
実施形態においては、所定期間毎にピーク値の信号の強さの最大値を１に規格化する処理を実行する。これにより信号の強さが異なる期間においてピーク値の最大値が１に規格化されて安静状態および覚醒状態の波形形状を比較し易くなる。
【００７０】
図９は、実施形態に基づく睡眠時の安静状態を判定する方式を説明する図である。主に判定部２０４における処理である。
【００７１】
図９に示されるように、縦軸は、信号の強さのピーク値の最大値を１に規格化した状態を示している。そして、スペクトルデータのピーク値付近の波形線幅を検出し、波形線幅が所定値以下であるか否かを判定する。本例のように波形線幅が所定値よりも狭い場合には、睡眠時の安静状態であると判定することが可能である。
【００７２】
図１０は、実施形態に基づく睡眠時の覚醒状態を判定する方式を説明する図である。
図１０に示されるように、縦軸は、信号の強さのピーク値の最大値を１に規格化した状態を示している。そして、スペクトルデータのピーク値付近の波形線幅を検出し、波形線幅が所定値以下であるか否かを判定する。本例のように波形線幅が所定値よりも広い場合には、睡眠時の覚醒状態であると判定することが可能である。
【００７３】
本例においては、信号の強さが２．００Ｅ−０１の位置で信号線の幅を検出する場合について説明したが、特にこれに限られず他の位置で検出するようにしてもよい。また、検出する信号の強さの位置で閾値となる所定値を変更するようにしてもよい。
【００７４】
したがって、睡眠時に安静状態であるか覚醒状態であるか否かは当該スペクトルデータを取得して波形形状を解析することにより判定が可能である。
【００７５】
また、当該方式により、被検者の生体情報の信号レベルが低い場合であっても、信号の強さのピーク値を１に規格化した状態で比較判定することにより、精度の高い被検者の状態の判定が可能である。
【００７６】
図１１は、実施形態に基づくパワースペクトラムデータについて説明する図である。
図１１において、管理サーバー２００の判定部２０４は、センサデータのスペクトラムデータに基づいてパワースペクトラムデータを生成する。
【００７７】
具体的には、センサデータのピーク値を含む所定範囲のパワーを合計したものである。
例えば、図７の場合には、センサデータのスペクトラムデータとして一例として１９回／分のピーク値が検出された場合には、所定範囲として前後４回の範囲（１５〜２３回／分）のパワーの和を算出する。この場合、一例として、例えば５．８Ｅ＋１１が算出される。
【００７８】
図８の場合には、センサデータのスペクトラムデータとして一例として１３回／分のピーク値が検出された場合には、所定範囲として前後４回の範囲（９〜１７回／分）のパワーの和を算出する。この場合、一例として４．４Ｅ＋１１が算出される。
【００７９】
当該パワースペクトラムデータにより、被検者の存在／不存在を確認することが可能である。
【００８０】
具体的には、判定部２０４は、例えば、一例として閾値として１Ｅ＋１０に設定することにより、当該閾値よりも大きいパワースペクトラムデータに関しては被検者の存在（在室）と判定し、閾値以下の低いパワースペクトラムデータに関しては被検者の不存在（不在）として判定することが可能である。
【００８１】
そして、パワースペクトラムデータが閾値として１Ｅ＋１０以上の時間帯には、被検者が存在し、それ以外の場合には被検者が不存在であるため当該時間帯（不在）のデータを無視することが可能である。
【００８２】
（変形例）
実施形態に従う変形例においては、睡眠時の安静状態あるいは覚醒状態を判定する別の方式について説明する。
【００８３】
具体的には、センサデータのスペクトルデータのピーク値を含む所定範囲のパワーと、所定範囲以外の領域のパワーとの比較に基づいて判定する。
【００８４】
一例として、図７で説明したスペクトラムデータについて、睡眠時の安静状態のピーク値付近（前後４回の範囲１５〜２３回／分）のパワー積算値を算出すると、１．８６２である。
【００８５】
また、全体のパワー積算値（０〜３５回／分）を算出すると、１．９５６である。
ピーク値付近以外のパワー積算値は、全体のパワー積算値からピーク値付近のパワー積算値を引き算する。
【００８６】
ピーク値付近以外のパワー積算値は、１．９５６−１．８６２＝０．００９４となる。すなわち、呼吸動作以外の動きに合わせた信号がほとんど無く、呼吸信号が大半を占める。
【００８７】
したがって、全体のパワー積算値の大半がピーク値付近の領域で占められていることが分かる。
【００８８】
図８で説明したセンサデータのスペクトルデータについて、睡眠時の覚醒状態のピーク値付近（前後４回の範囲９〜１７回／分）のパワー積算値を算出すると、４．３８２である。
【００８９】
また、全体のパワー積算値（０〜３５回／分）を算出すると、８．９２２である。
ピーク値付近以外のパワー積算値は、全体のパワー積算値からピーク値付近のパワー積算値を引き算する。
【００９０】
ピーク値付近以外のパワー積算値は、８．９２２−４．３８２＝４．５４となる。したがって、全体のパワー積算値の半分程度がピーク値付近の領域であり、残り半分程度がそれ以外の領域である。したがって、呼吸動作以外の動きに合わせた信号も多く含まれる。
【００９１】
図１２は、実施形態の変形例に従うピーク値付近以外のパワー積算値の変動について説明する図である。判定部２０４は、上記の方式に従って当該パワー積算値の変動のデータを生成する。
【００９２】
図１２に示されるように、時間に従って変動する場合が示されている。
点線は、１０分毎の平均値を示したものである。
【００９３】
判定部２０４は、一例として、本例においては閾値を１に設定し、平均値が閾値（「１」）であるか否かに基づいて睡眠時において覚醒状態であるかあるいは安静状態であるかを判定する。
【００９４】
なお、被検者が在室している場合に、睡眠時の状態を判定する。したがって、被検者が在室している期間における判定であり、不在の場合には判定しない。
【００９５】
図１２においては、一例として、在室している場合と不在の場合とが示されており、在室している場合において睡眠時の状態を判定する。主として判定部２０４における処理である。
【００９６】
図１３は、睡眠時における安静状態および覚醒状態の判定を説明する図である。
図１３を参照して、図１２のパワー積算値に対して閾値（「１」）以下が否かを判定する。閾値（「１」）以下である場合には、安静状態であると判定し、閾値（「１」）を超える場合には、覚醒状態であると判定する。
【００９７】
当該判定結果に基づいて被検者の睡眠時の状態を把握することが可能である。すなわち、睡眠時に安静状態の期間が長ければ良好な睡眠状態であると判定することが可能である。例えば、所定期間以上の睡眠時の安静状態が確保されているか否かに基づいて良好な睡眠状態か否かを判定することが可能である。
【００９８】
一方で、睡眠時の覚醒状態の期間が長ければ不良な睡眠状態であると判定することが可能である。
【００９９】
例えば、所定期間以上の睡眠時の覚醒状態が係属しているか否かに基づいて不良な睡眠状態か否かを判定することが可能である。
【０１００】
これにより被検者の睡眠状態に対して精度の高い分析が可能となる。
なお、本例においては、センサデータのスペクトルデータについて、ピーク値付近以外のパワー積算値を算出して、睡眠時の安静状態あるいは覚醒状態を判定する方式について説明したが他の方式を採用することも当然に可能である。
【０１０１】
具体的には、ピーク値付近のパワー積算値とピーク値付近以外のパワー積算値との比を算出するようにしてもよい。睡眠時の安静状態である場合には、ピーク値付近以外のパワー積算値が小さくなるため比は０となる。一方で、睡眠時の覚醒状態である場合には、ピーク値付近以外のパワー積算値が大きくなるため比は１に近づくことになる。
【０１０２】
したがって、ピーク値付近のパワー積算値とピーク値付近以外のパワー積算値との比を算出することにより、所定の閾値との比較により睡眠時の安静状態あるいは覚醒状態を判定するようにしてもよい。
【０１０３】
本実施形態の変形例に従う方式は、スペクトルデータのピーク値を含む所定範囲のパワーと、所定範囲以外の領域のパワーとの比較に基づいて判定されるため被検者の生体情報の信号レベルが低い場合であっても精度の高い被検者の状態を把握することが可能である。
【０１０４】
なお、本例においては、管理サーバー２００が解析部２０２および判定部２０４を有する場合について説明したが、特にこれに限られずセンサーボックス１１９に当該機能を設けることにより１つの状態監視装置とすることも当然に可能である。
【０１０５】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０１０６】
本技術は、病院、老人ホーム、養護施設その他の施設で取得される情報に適用可能である。
【符号の説明】
【０１０７】
１００  システム、１０１，２２１  制御装置、１０６  ドップラーセンサー、１０７  無線通信装置、１０８  記憶装置、１０９  ドア、１１０，１２０  居室、１１１，１２１，９１０，９２０，９３０，９５０  入居者、１１２  タンス、１１３  ベッド、１１４  トイレ、１１５  ケアコール子機、１１６  トイレセンサー、１１７  センサー、１１８  ドアセンサー、１１９  センサーボックス、１３０  管理センター、１４０  アクセスポイント、１４１，１４２  介護者、１４３，１４４  携帯端末、１５０  クラウドサーバー、１９０  ネットワーク、２００  管理サーバー、２２６  ディスプレイ、２２９  入力デバイス、２４１  ケアコールボタン、２９０  バイタルセンサー、３００  コンピューターシステム。
【図１】
2020071374.tif 000003
【図２】
2020071374.tif 000004
【図３】
2020071374.tif 000005
【図４】
2020071374.tif 000006
【図５】
2020071374.tif 000007
【図６】
2020071374.tif 000008
【図７】
2020071374.tif 000009
【図８】
2020071374.tif 000010
【図９】
2020071374.tif 000011
【図１０】
2020071374.tif 000012
【図１１】
2020071374.tif 000013
【図１２】
2020071374.tif 000014
【図１３】
2020071374.tif 000015
【国際調査報告】
2020071374.tif 000016
2020071374.tif 000017
2020071374.tif 000018
2020071374.tif 000019